(57)【要約】      （修正有）【課題】取り扱い易い安価に製作できる機構で、しかも塗り薬を貼る患部の形状にこだわらず誰でも一人で簡単に確実に貼り付けることができる優れた塗り薬塗り付け器を提供する。【解決手段】塗り薬塗り付け器１００は、握り手２０１から背中に回す曲り操作アーム２００を有し、曲り操作アーム２００の前部に、スティック状塗り薬のスティック収容の容器（ケース）又は液状塗り薬収容の容器（ケース）３１１を交換可能に支持する第１アーム３１０と、練り薬又は液状塗り薬の塗り付け用の第２アーム３２０とを差し替え交換可能に取り付け、第１アーム３１０は、前部に当該容器３１１を着脱交換可能にした容器保持部３１２を有し、第２アーム３２０は前部に当該塗り薬３２１を保持する指型塗り部３２２を有する。【選択図】図１
0003205239.tif 000002
【実用新案登録請求の範囲】
【請求項１】
握り手から背中に回す曲り操作アームを有し、前記曲り操作アームの前部に、スティック状塗り薬のスティック収容の容器（ケース）又は液状塗り薬収容の容器（ケース）を交換可能に支持する第１アームと、練り薬又は液状塗り薬の塗り付け用の第２アームとを差し替え交換可能に取り付け、前記第１アームは、前部に当該容器を着脱交換可能にした容器保持部を有し、前記第２アームは前部に当該塗り薬を保持する塗り部を有することを特徴とする塗り薬塗り付け器。
【考案の詳細な説明】
【技術分野】
【０００１】  本考案は、一人で手が届かない例えば背中等の患部に、液相や脂質相等の塗り薬を容易に塗り付けできる塗り薬塗り器に関するものである。
【背景技術】
【０００２】  液相と脂質相等の塗り薬例えば、かゆみ止め薬、虫除け薬、傷薬などは、薬液の入った容器の頭部に塗布面を有する液状塗り容器、或いはスティック状の容器の頭部に塗布部を出し入れするスティック式塗り容器、練り状の塗り薬をチューブに入れた練り塗り薬チューブ等々が普及されている。
このような中で、手が届かない肩や背中などへの塗り薬の塗り付けは、なかなか正確な位置に塗ることが困難であり、人の手を借りることが多い。しかも、着衣の中での塗り付け困難である。
ましてや独り暮しの人は、背中への塗り薬の塗り付けは極めて困難であり、他人に塗ってもらう場合も、脱衣又は脱衣に近い状態にならなければならず、面倒なだけでなく、肌を露出して寒さを気にしなければならずまた他人の手を借りることは人目が気になり抵抗を感じる人には不便である。【０００３】  そこで従来、塗り薬塗り付け具として、特表２００６−５０４６４９号「乾燥性塗薬用具、水相および脂質相を備えた製品」、特許第５２２３０５５号公報「薬剤処理具」、塗り薬具着脱可能な折畳み式孫の手」、実登３１７２３２８号公報「薬剤塗布補助具」、特開２００５−２０５１３１号公報「背中に届く便利棒」、特開２０１３−２４４１１５号公報「ローラー式背中湿布薬貼付器具」等々、種々の考案が紹介されている。【０００４】  しかし、これら公知の塗り薬塗り付け具は、いずれも簡単過ぎて課題の多い機構、または取り扱い方が難しい複雑な機構で、腕の力の弱い高齢者などにとってはうまく塗り付けられず、しかもコストが高くなるなど改善の課題が多い。
【先行技術文献】
【特許文献】
【０００５】
【特許文献１】特表２００６−５０４６４９号
【特許文献２】特許第５２２３０５５号公報
【特許文献３】実登３１７２３２８号公報
【特許文献４】特開２００５−２０５１３１号公報
【特許文献５】特開２０１３−２４４１１５号公報
【考案の開示】
【考案が解決しようとする課題】
【０００６】  本考案は、取り扱い易く安価に製作できる機構で、しかも塗り薬を貼る患部の形状にこだわらず誰でも一人で簡単に確実に塗り付けることができる優れた塗り薬塗り付け器を提供する。
【課題を解決するための手段】
【０００７】  本考案は上記目的を達成するためになされたものでありその機構的特徴とするところは次の（１）の通りである。【０００８】（１）、握り手から背中に回す曲り操作アームを有し、前記曲り操作アームの前部において、スティック状塗り薬のスティック収容の容器（ケース）又は液状塗り薬収容の容器（ケース）を交換可能に支持する第１アームと、練り薬又は液状塗り薬の塗り付け用の第２アームとを差し替え交換可能に取り付け、前記第１アームは、前部に当該容器を着脱交換可能にした容器保持具を有し、前記第２アームは前部に当該塗り薬を少量保持する指型塗り具を有することを特徴とする塗り薬塗り付け器。【０００９】（２）、前記操作アームの前部に第１アームと第２アームを使用中に抜けないようにし且つ差し替え交換可能に取り付ける構造としては、ネジ式、挿入回転ロック式、挿入磁着接続式、単なる嵌入接続式等の接続構造を適宜に採用する。
【考案の効果】
【００１０】  本考案の塗り薬塗り付け器は、組み立て交換自在にして前記機構的特徴により安価に製作できる機構であり、次に紹介の簡単な取り扱いにより、塗り薬を貼る患部の形状にこだわらず誰でも一人で簡単に確実に塗り付けることができ、しかも使用以外はコンパクトに畳んで収納できる優れた作用効果を呈する。【００１１】  ＜取り扱い例＞
Ｉ、操作アームの前部に第１アームを接続した場合
第１アームの容器保持部に、当該容器を交換可能に保持し、容器の塗り薬露出部を患部に押し当て、操作アームを軽く上下左右に操作して患部に当該塗り薬を塗り付ける。塗り付けた後は操作アームで第１アームを胸元に戻して第１アームの容器保持部から当該容器を外して或いは第１アームごと簡単に外して当該容器に蓋をし、次の使用のために保管する。
ＩＩ、操作アームの前部に第２アームを接続した場合
第２アームの前部の指型塗り部に、当該塗り薬を塗り付け、指型塗り部を患部に押し当て、操作アームにより指型塗り部を軽く上下左右に操作して患部に当該塗り薬を塗り付ける。塗り付けた後は操作アームで第２アームを胸元に戻して第２アームの指型塗り部に残存の当該塗り薬を拭き取り、第２アームを操作アームから簡単に外して次の使用のために保管する。
【図面の簡単な説明】
【００１２】
【図１】本考案の塗り薬塗り付け器の実施例を示す側面図（１）であり、（２）は（１）のＡ−Ａからの横断面図である。
【図２】曲り操作アーム２００と第１アーム３１０又は第２アーム３２０との差し替え交換可能に取り付ける接続機構例を示し、（１）は挿入回転ロック式接続機構、（２）はネジ式接続機構、（３）は挿入磁着式接続機構、（４）は単なる嵌入接続式接続機構を各々示す説明図である。
【図３】容器保持具の他の例でマジックテープ（商標）式容器保持具を示す側面図（１）と、同側面図（１）の矢視Ｂ−Ｂから見た平面図（２）を示す説明図である。
【考案を実施するための形態】
【００１３】本考案の塗り薬塗り付け器の実施形態は、実施例１により詳細に説明する。
【実施例１】
【００１４】図１に示す塗り薬塗り付け器１００の実施例において、本例の塗り薬塗り付け器１００は、曲り操作アーム２００と、曲り操作アーム２００の前部に差し替え交換可能に接続する第１アーム３１０と第２アーム３２０とを主な構成とする。【００１５】曲り操作アーム２００は、樹脂製パイプであり握り手２０１を基部に形成し、背中に回す側の曲り部２０２の手前又は曲り部２０２の前方に（本例は曲り部２０２の手前）、第１アーム３１０と第２アーム３２０とを図４に示す接続機構ＣＨにより差し替え交換可能に取り付け接続する。【００１６】第１アーム３１０は、スティック状塗り薬のスティック収容の容器（ケース）又は液状塗り薬収容の容器（ケース）３１１を交換可能に支持するアームであり、前部に当該容器３１１を着脱交換可能にした容器保持具３１２を形成する。容器保持具３１２は、筒状で拡張可能に割れ目３１３を入れた弾性変形可能にした樹脂製或いはゴム製であり、保持する容器３１１の径の多少の違いに把持対応できるようにしたものである。【００１７】  容器保持具の他の例を図３に示す。この容器保持具は、簡単なマジックテープ（商標）式容器保持具３１６である。マジックテープ（商標）式容器保持具３１６は、第１アーム３１０の先端に弾性変形可能な半円弧状の把手３１０Ｋを形成し、把手３１０Ｋの内湾曲側に巻締めマジックテープ（商標）３１４の一端部を巻いて接着固定し、巻締めマジックテープ（商標）３１４の自由部分を係止する受止マジックテープ（商標）３１５を把手３１０Ｋの外湾曲側に貼り付けたものである。このマジックテープ式容器保持具３１６は、巻締めマジックテープ（商標）３１４を開いて容器（ケース）３１１を把手３１０Ｋ内に入れ、巻締めマジックテープ（商標）３１４の自由部分で容器（ケース）３１１を受止マジックテープ（商標）３１５側に回して把手３１０Ｋと共に容器（ケース）３１１を締め、受止マジックテープ（商標）３１５に巻締めマジックテープ（商標）３１４を押し当てて巻締め止めする極めて簡易な容器保持具である。【００１８】第２アーム３２０は、練り薬又は液状塗り薬の塗り付け用のアームであり、前部に当該塗り薬３２１を少量保持する指型塗り部３２２を有する。指型塗り部３２２は練り薬又は液状塗り薬３２１が落ちないように且つ肌に優しい弾力性ある材質で形成することが好ましい。例えば表面に小さい凹凸のいわゆるエンボス３２３付与したスポンジ製或いは樹脂製又はゴム製にすると良い。【００１９】図２には、図１に示す曲り操作アーム２００と第１アーム３１０又は第２アーム３２０との差し替え交換可能に取り付ける接続機構ＣＨの各例を示し、（１）は挿入回転ロック式接続機構３３０、（２）はネジ式接続機構３４０、（３）は挿入磁着式接続機構３５０、（４）は単なる嵌入接続式接続機構３６０を各々示す説明図である。
この接続機構ＣＨは前記容器保持部３１２又は指型塗り部３２２設置部の直近に設けて当該第１アーム３１０又は第２アーム３２０を短くしてもよい。【００２０】図２において、（１）に示す挿入回転ロック式接続機構３３０は、操作アーム２００前部にアーム挿入穴３３１を形成し、第１アーム３１０又は第２アーム３２０の後部に前記アーム挿入穴３３１に挿入する挿入部３３２を形成し、前記挿入穴３３１の奥部に回転ロック溝３３３を形成し、挿入部３３２に回転ロック溝３３３部で所定角度回転してロックされ挿出を止めるようにしたロック部材３３４を形成して構成される。【００２１】図２において、（２）に示すネジ式接続機構３４０は、操作アーム２００前部に雌螺子３４１を形成し、第１アーム３１０又は第２アーム３２０の後部に前記雌螺子３４１に螺合する雄螺子３４２を形成して構成される。【００２２】図２において、（３）に示す挿入磁着式接続機構３５０は、操作アーム２００前部に挿入部３５３を形成し、前記挿入部３５３の少なくとも端部に磁性体３５４を配置し、第１アーム３１０又は第２アーム３２０の前部にアーム挿入穴３５１を形成し、挿入穴３５１の奥部に磁石３５２を固定して構成され、前記アーム挿入穴３５１に操作アーム２００の挿入部３５３を挿入し磁性体３５４磁石３５２を磁着して連結する。【００２３】図２において、（４）に示す嵌入接続式接続機構３６０は、第１アーム３１０又は第２アーム３２０の後部に前記アーム嵌入穴３６１形成し、操作アーム２００前部にアーム嵌入穴３６１に嵌入する嵌入部３６３を形成し、前記アーム嵌入穴３６１の入り口に抜け防止用のゴムリング３６２を収縮状態で巻着して構成される。
【産業上の利用可能性】
【００２４】  本考案の塗り薬貼り器は、前述のように、優れた作用効果があり、一般家庭は勿論、医療器具業界に貢献すること多大なものがある。
【符号の説明】
【００２５】１００：塗り薬塗り付け器
２００：曲り操作アーム
２０１：握り手
２０２：曲り部
３２１：塗り薬
３１０：第１アーム
３２０：第２アーム
３１０Ｋ：把手
３１１：薬収容の容器（ケース）
３１２：容器保持具
３１３：割れ目
３１４：巻締めマジックテープ（商標）
３１５：受止めマジックテープ（商標）
３１６：マジックテープ（商標）式容器保持具
３３０：挿入回転ロック式接続機構
３３１  アーム挿入穴
３３２：挿入部
３３３：回転ロック溝
３３４：ロック部材
３４０：ネジ式接続機構
３４１：雌螺子
３４２：雄螺子
３５０：挿入磁着式接続機構
３５１：アーム挿入穴
３５２：磁石
３５３：挿入部
３５４：磁性体
３６０：嵌入接続式接続機構
３６１：アーム嵌入穴
３６２：抜け防止用のゴムリング
３６３：嵌入部
【図１】
0003205239.tif 000003
【図２】
0003205239.tif 000004
【図３】
0003205239.tif 000005